(57)【要約】【課題】適度な剛性を有しながらロータ板に対する磁気制動力を軽減できるロータ板を採用することにより、エネルギーロスを低減できるブラシレスモータの提供。【解決手段】ブラシレスモータは、複数の駆動コイル１５を環状に配置したステータ板１１と、駆動コイル１５と面対向するマグネット２２を持ちステータ板１１に回転自在に支持されたロータ板２３とを備える。ステータ板１１は、アルミニウムや銅などの金属製非磁性材基板αと、この非磁性材基板αの表裏面に成膜されたニッケルや鉄などのメッキ磁性材膜βとから成る。【選択図】      図３
2008011666.tif 000002
【特許請求の範囲】
【請求項１】
複数の駆動コイルを環状に配置したステータ板と、前記駆動コイルと面対向するマグネットを持ち前記ステータ板に対し回転自在に支持されたロータ板とを備えるブラシレスモータにおいて、
前記ステータ板は、非磁性材基板と、この非磁性材基板の少なくとも片面に成膜されて成る磁性材膜とを有することを特徴とするブラシレスモータ。
【請求項２】
請求項１に記載のブラシレスモータにおいて、前記磁性材膜はメッキ膜であることを特徴とするブラシレスモータ。
【請求項３】
請求項１又は請求項２に規定するブラシレスモータにおいて、前記ロータ板は前記ステータ板に起立固定した支軸に対しメタル軸受を保持して回転自在に支持されており、前記支軸に挿入し前記ステータ板と前記メタル軸受とに挟まるスペーサを備えて成ることを特徴とする扁平形振動モータ。
【請求項４】
請求項１乃至請求項３のいずれか一項に規定するブラシレスモータにおいて、前記ロータ板に偏心錘を取着して成ることを特徴とする扁平形振動モータ。
【発明の詳細な説明】
【技術分野】
【０００１】
本発明は、扁平形振動モータ等に用いるブラシレスモータに関する。
【背景技術】
【０００２】
特開平１０−１７４４０６に開示の扁平形ブラシレスファンモータは、放熱基板上のステータ板の上に複数の駆動コイルを環状に配置し、Ｎ極とＳ極を交互に着磁し周囲に複数のフィンを突設させたロータ板をステータ板に対し空隙を介して面対向した状態で回転自在に支持して成り、ロータ板はステータ板との間の磁気吸着力によって保持される。
【特許文献１】特開平１０−１７４４０６（図１）
【発明の開示】
【発明が解決しようとする課題】
【０００３】
放熱基板はアルミニウムなどの非磁性金属とすることができるが、ステータ板は、磁気吸着力による反りを防止するため、鋼鉄板，ケイ素鋼板などの剛性のある磁性金属板を必要としている。このため、磁性金属板で磁気抵抗が低い磁路が形成され、却って強い磁気吸着力が軸方向に生じ、ロータ板に対する磁気制動力として顕在化し、エネルギーロスが大きい。特に、ステータ板とロータ板との対向間隔が狭く、ブラシレスモータが薄形になればなるほど、エネルギーロスが大きくなる。
【０００４】
そこで上記問題点に鑑み、本発明の課題は、適度な剛性を有しながらロータ板に対する磁気制動力を軽減できるロータ板を採用することにより、エネルギーロスを低減できるブラシレスモータを提供することにある。
【課題を解決するための手段】
【０００５】
本発明は、複数の駆動コイルを環状に配置したステータ板と、駆動コイルと面対向するマグネットを持ちステータ板に対し回転自在に支持されたロータ板とを備えるブラシレスモータにおいて、ステータ板は、非磁性材基板と、この非磁性材基板の少なくとも片面に成膜されて成る磁性材膜とを有することを特徴とする。
【０００６】
ロータ板はステータ板の磁性材膜によって軸方向の磁気吸着力が生じるものであるが、磁性材膜の膜厚は芯板となる非磁性材基板の板厚より非常に薄く形成できるため、磁気抵抗が高く、磁気吸着力を軽減できる。このため、ロータ板に対する磁気制動力が軽減し、エネルギーロスを低減できる。また、この磁性材膜によってステータ板外への漏れ磁束を抑制できる。望ましくは、磁性材膜を非磁性材基板の両面に形成すると、漏れ磁束を更に抑制できる。
【０００７】
ステータ板を剛性のある薄板とするには、非磁性基板をアルミニウムや銅などの金属とし、磁性材膜はニッケルや鉄などのメッキ膜とするのが望ましく、低コスト化に資する。
【０００８】
このように、磁気吸着力が軽減できるため、ブラシレスモータとしては、ボールベアリングを用いず、ロータ板はステータ板に起立固定した支軸に対しメタル軸受を保持して回転自在に支持されており、支軸に挿入しステータ板とメタル軸受とに挟まるスペーサを備えて成る構成とすることができる。このスペーサとメタル軸受とが摺接するものの、磁気吸着力が軽減しているため、過度なエネルギーロスがなく、また安価なメタル軸受の使用によりブラシレスモータの低コスト化と薄形化を図ることができる。
【０００９】
上記構成のブラシレスモータはロータ板に偏心錘を取着して成る扁平形振動モータとして用いるに好適である。
【発明の効果】
【００１０】
本発明に係るブラシレスモータにおいては、適度な剛性を有しながらロータ板に対する磁気制動力を軽減できるロータ板を有しているため、エネルギーロスを低減できる。
【発明を実施するための最良の形態】
【００１１】
次に、本発明の実施形態を添付図面に基づいて説明する。図１は本発明の実施例に係る扁平形振動モータを示す外観斜視図、図２は扁平形振動モータのカバーを取り外した状態を示す斜視図、図３（Ａ）は扁平形振動モータのステータ側を示す平面図、図３（Ｂ）は図１中のＢ−Ｂ線で切断した状態を示す断面図、図４（Ａ）は扁平形振動モータのステータ板を示す平面図、図４（Ｂ）は図４（Ａ）中のＢ−Ｂ線で切断した状態を示す断面図である。
【００１２】
本例の扁平形振動モータはステータ１０とロータ２０とから成るブラシレスモータである。ステータ１０は、突片１１ａを備えたステータ板（ベースプレート）１１と、このステータ板１１の絞り曲げ部１１ｂに一端が圧入した支軸１２と、ステータ板１１の上に重ね合わされたフレキシブル配線板１３と、この上に搭載された制御用集積回路１４と、フレキシブル配線板１３上に環状に配置された複数の駆動コイル１５と、ステータ板１１が嵌合して絞り曲げ部１６ａに支軸１２の他端が圧入するカバー１６とを有する。なお、１３ａは突片１１ａに形成された外部接続用端子パターン、１３ｂは配線パターンである。
【００１３】
ロータ２０は、軸受ホルダー部２３ａのメタル軸受２１を介して支軸１２に回転自在に支持され、駆動コイル１５と面対向するマグネット２２を下側に持つロータ板２３と、このロータ板２３の外周側に設けられた偏心錘２４とを有する。なお、２５ａ〜２５ｃはメタル軸受２１のステータ板１１側への滑り寄りを阻止するスペーサとしてのワッシャーである。
【００１４】
ステータ板１１には、図４に示す如く、ロータ２０を定位置で停止するためのリアクタンス突起１１ｃが切り起し形成されている。そして、このステータ板１１は、アルミニウムや銅などの金属製非磁性材基板αと、この非磁性材基板αの表裏面に成膜されたニッケルや鉄などのメッキ磁性材膜βとから成る。
【００１５】
ロータ板２３は剛性のあるステータ板１１のメッキ磁性材膜βによって磁気吸着力されるため、メタル軸受２１の下端面とワッシャー２５ａとの間に摩擦が発生する。しかしながら、このメッキ磁性材膜βは芯板である非磁性材基板αの板厚より非常に薄く形成できるため、磁気抵抗が高く、磁気吸着力を軽減できる。このため、ロータ板２３に対する磁気吸着力は弱くなり、磁気制動力が軽減し、エネルギーロスを低減できる。また、非磁性材基板αの表裏面のメッキ磁性材膜βによって漏れ磁束を抑制できる。
【００１６】
ロータ板２３はステータ板１１に起立固定した支軸１２に対しメタル軸受２１を保持して回転自在に支持されている。そして、ワッシャー２５ａ〜２５ｃが支軸１２に嵌り、ステータ板１１とメタル軸受２１とに挟まれている。ワッシャー２５ａとメタル軸受２１とが摺接するものの、磁気吸着力が軽減しているため、過度なエネルギーロスがなく、また安価なメタル軸受２１の使用によりブラシレスモータの低コスト化と薄形化を図ることができる。
【図面の簡単な説明】
【００１７】
【図１】本発明の実施例に係る扁平形振動モータを示す外観斜視図である。
【図２】扁平形振動モータのカバーを取り外した状態を示す斜視図である。
【図３】（Ａ）は扁平形振動モータのステータ側を示す平面図、（Ｂ）は図１中のＢ−Ｂ線で切断した状態を示す断面図である。
【図４】（Ａ）は扁平形振動モータのステータ板を示す平面図、（Ｂ）は（Ａ）中のＢ−Ｂ線で切断した状態を示す断面図である。
【符号の説明】
【００１８】
１０…ステータ
１１…ステータ板（ベースプレート）
１１ａ…突片
１１ｂ，１６ａ…絞り曲げ部
１１ｃ…リアクタンス突起
１２…支軸
１３…フレキシブル配線板
１３ａ…外部接続用端子パターン
１３ｂ…配線パターン
１４…制御用集積回路
１５…駆動コイル
１６…カバー
２０…ロータ
２１…メタル軸受
２２…マグネット
２３…ロータ板
２３ａ…軸受ホルダー部
２４…偏心錘
２５ａ〜２５ｃ…ワッシャー
α…金属製非磁性材基板
β…メッキ磁性材膜
【図１】
2008011666.tif 000003
【図２】
2008011666.tif 000004
【図３】
2008011666.tif 000005
【図４】
2008011666.tif 000006